(57)【特許請求の範囲】
【請求項１】
それぞれ対応する負荷をオン／オフするための第１及び第２のスイッチ並びに前記第１のスイッチに対応する負荷の動作状態を表示する第１の点灯表示部を前面側に設けた器具本体と、前記第２のスイッチに対応する部位に前記第２のスイッチの操作部を露出させる挿通孔が設けてあり、前記器具本体の前面側に回動自在に取着され回動操作に応じて前記器具本体側の面で前記第１のスイッチを押操作するハンドル本体と、前記ハンドル本体の前面側に、前記操作部を露出させる開位置と前記操作部を覆う閉位置との間で回動自在に取着されたハンドルカバーとを備え、前記ハンドルカバー及び前記ハンドル本体の前記第１の点灯表示部に対応する部位にそれぞれ光を通すための第１及び第２の表示孔が設けてあり、前記ハンドルカバーの前面側であって前記第１の表示孔に対応する部位に、前記第１の点灯表示部の光を透過させるための透光性の表示部材が取着される取付溝を設けるとともに、前記ハンドルカバーにおいて前記取付溝の裏側部分を前記ハンドル本体側に突出させたことを特徴とする操作スイッチ器具。
【請求項２】
前記ハンドル本体に回動自在に枢支される前記ハンドルカバーの枢支部を前記ハンドルカバーの他の部位よりも厚みを厚くしたことを特徴とする請求項１記載の操作スイッチ器具。
【請求項３】
前記ハンドルカバーの前記ハンドル本体側の面に前記第１のスイッチに対応する負荷内容を示すネームカードを収納するためのカード収納凹部を設け、前記カード収納凹部の底部に前面側から前記ネームカードを視認可能とする透光部が形成してあり、前記第２のスイッチに対応する負荷内容を示すネームシートが前記カード収納凹部の底部との間で前記カード収納凹部に収納された前記ネームカードを挟持した状態で、前記ネームシートを前記ハンドルカバーの前記ハンドル本体側に保持するための保持手段を前記ハンドルカバーに設けたことを特徴とする請求項１又は２の何れか１項に記載の操作スイッチ器具。
【請求項４】
前記第２のスイッチに対応する負荷の動作状態を表示する第２の点灯表示部を前記器具本体の前面側に設けるとともに、前記ハンドル本体の前記第２の点灯表示部に対応する部位に光を通すための第３の表示孔を設けており、前記第１及び第２の点灯表示部からの投光方向であって前記第２及び第３の表示孔に対応する部位に光を拡散させる光拡散部材を設けたことを特徴とする請求項１〜３の何れか１項に記載の操作スイッチ器具。
【発明の詳細な説明】
【技術分野】
【０００１】
本発明は、照明器具などの負荷制御に用いられる操作スイッチ器具に関するものである。
【背景技術】
【０００２】
従来より、照明器具などの負荷の遠隔監視制御を行う遠隔監視制御システムに用いられる操作スイッチ器具があった（例えば特許文献１参照）。この遠隔監視制御システムは２線式の信号線に伝送ユニットと、操作スイッチの状態を監視する操作スイッチ器具と、リレーを介して照明器具の電源をオン／オフする制御端末器とを接続して構成されており、操作スイッチ器具及び制御端末器に設定されている個別のアドレスを用いて伝送ユニットが操作スイッチ器具及び制御端末器を個別に認識する。ここで操作スイッチ器具としては、対応する照明器具を個別にオン／オフさせるための個別スイッチの動作状態を監視する操作スイッチ器具や、複数の照明器具を１つのグループとして一括にオン／オフさせるためのグループスイッチの動作状態を監視する操作スイッチ器具が提供されている。
【０００３】
従来の遠隔監視制御システムに用いられる操作スイッチ器具では、それぞれ個別に照明器具をオン／オフさせるための個別スイッチ又は複数の照明器具を１つのグループとして一括にオン／オフさせるためのグループスイッチの何れか一方しか備えておらず、個別制御とグループ制御の両方の制御を行うためには両方の操作スイッチ器具を用いる必要があった。
【０００４】
そこで、個別スイッチ及びグループスイッチの両方を備えた操作スイッチ器具が提案されている。この操作スイッチ器具は、個別スイッチ及びグループスイッチが前面側に露設された器具本体を備えている。そして器具本体の内部には個別スイッチ及びグループスイッチにそれぞれ対応する照明器具の動作状態を表示する個別表示ランプ及びグループ表示ランプが配置されており、器具本体の前面側において個別表示ランプ及びグループ表示ランプに対応する部位に光を通すための表示孔が設けられている。
【０００５】
さらに器具本体の前面側にはハンドル本体が回動自在に取着されており、ハンドル本体の個別スイッチに対応する部位には個別スイッチの操作部を露出させる挿通孔が設けられている。またハンドル本体の裏面にはグループスイッチに対応する部位に突起が設けてあり、ハンドル本体を押操作すると裏面の突起でグループスイッチの操作部が押動されるようになっている。さらにハンドル本体の個別表示ランプ及びグループ表示ランプに対応する部位にはそれぞれ光を通すための表示孔が設けられている。
【０００６】
またハンドル本体の前面側にはハンドルカバーが個別スイッチの操作部を露出させる開位置と個別スイッチの操作部を覆う閉位置との間で回動自在に取着されており、ハンドルカバーにはグループ表示ランプに対応する部位に光を通すための表示孔が設けられている。さらにハンドルカバーの前面側においてこの表示孔に対応する部位に取付溝が形成されており、この取付溝には光を透過させるための透光性の表示窓が取着されている。
【０００７】
この操作スイッチ器具を用いた場合、ハンドルカバーを閉じた状態（ハンドルカバーが閉位置にある状態）からハンドルカバーを押操作すると、ハンドルカバーとともにハンドル本体が回動してハンドル本体の裏面に設けた突起でグループスイッチが押動されるので、グループに設定された照明器具が一括してオン／オフされる。一方ハンドルカバーを開いた状態（ハンドルカバーが開位置にある状態）では個別スイッチの操作部が露出しているので個別スイッチの操作部を押操作すると、押された個別スイッチに対応する照明器具が個別にオン／オフされる。またこの状態からハンドル本体を押操作すると、ハンドル本体の裏面に設けた突起でグループスイッチが押動されるので、グループに設定された照明器具が一括してオン／オフされる。
【特許文献１】特開２００６−９４４５２号公報（第６頁−第１０頁、第１２頁−第１５頁、第１図−第６図、第９図−第１１図）
【発明の開示】
【発明が解決しようとする課題】
【０００８】
上述した後者の操作スイッチ器具では、ハンドルカバーのグループ表示ランプに対応する部位に表示孔を設けるとともに、ハンドルカバーの前面側においてこの表示孔に対応する部位に透光性の表示窓を取付けるための取付溝を設けており、取付溝を設けた部位の厚みが取付溝の分だけ薄くなっているので、ハンドルカバーの強度が低下するという問題があった。
【０００９】
本発明は上記問題点に鑑みて為されたものであり、その目的とするところは、ハンドルカバーの強度を高めた操作スイッチ器具を提供することにある。
【課題を解決するための手段】
【００１０】
請求項１の発明は、それぞれ対応する負荷をオン／オフするための第１及び第２のスイッチ並びに第１のスイッチに対応する負荷の動作状態を表示する第１の点灯表示部を前面側に設けた器具本体と、第２のスイッチに対応する部位に第２のスイッチの操作部を露出させる挿通孔が設けてあり、器具本体の前面側に回動自在に取着され回動操作に応じて器具本体側の面で第１のスイッチを押操作するハンドル本体と、ハンドル本体の前面側に、操作部を露出させる開位置と操作部を覆う閉位置との間で回動自在に取着されたハンドルカバーとを備え、ハンドルカバー及びハンドル本体の第１の点灯表示部に対応する部位にそれぞれ光を通すための第１及び第２の表示孔が設けてあり、ハンドルカバーの前面側であって第１の表示孔に対応する部位に、第１の点灯表示部の光を透過させるための透光性の表示部材が取着される取付溝を設けるとともに、ハンドルカバーにおいて取付溝の裏側部分をハンドル本体側に突出させたことを特徴とする。
【００１１】
請求項２の発明は、ハンドル本体に回動自在に枢支されるハンドルカバーの枢支部をハンドルカバーの他の部位よりも厚みを厚くしたことを特徴とする。
【００１２】
請求項３の発明は、ハンドルカバーのハンドル本体側の面に第１のスイッチに対応する負荷内容を示すネームカードを収納するためのカード収納凹部を設け、カード収納凹部の底部に前面側からネームカードを視認可能とする透光部が形成してあり、第２のスイッチに対応する負荷内容を示すネームシートがカード収納凹部の底部との間でカード収納凹部に収納されたネームカードを挟持した状態で、ネームシートをハンドルカバーのハンドル本体側に保持するための保持手段をハンドルカバーに設けたことを特徴とする。
【００１３】
請求項４の発明は、第２のスイッチに対応する負荷の動作状態を表示する第２の点灯表示部を器具本体の前面側に設けるとともに、ハンドル本体の第２の点灯表示部に対応する部位に光を通すための第３の表示孔を設けており、第１及び第２の点灯表示部からの投光方向であって第２及び第３の表示孔に対応する部位に光を拡散させる光拡散部材を設けたことを特徴とする。
【発明の効果】
【００１４】
請求項１の発明によれば、ハンドルカバーにおいて取付溝の裏側部分をハンドル本体側に突出させたことで取付溝を設けた部位の厚みを厚くして補強することができるので、ハンドルカバーを開閉角度以上に開こうとした場合でも取付溝を設けた部位の強度を保つことができ、ハンドルカバーの破損を防ぐことができるという効果がある。
【００１５】
請求項２の発明によれば、ハンドルカバーの枢支部をハンドルカバーの他の部位よりも厚みを厚くしたことで枢支部を補強することができるので、ハンドルカバー自体も破損しにくくなり、且つハンドルカバーをハンドル本体にがたつきなく強固に取付けることができるという効果がある。また乱暴に操作された場合にはハンドルカバーがハンドル本体との枢支部分で外れるので、ハンドルカバーの破損を防ぐことができるという効果もある。
【００１６】
請求項３の発明によれば、ネームカードをネームシートとカード収納凹部の底部とで挟持しており、ネームカードを保持するための専用の機構や部品が不要なので、ハンドルカバーの構造を簡素化することができ、且つ部品点数を減らすことができるという効果がある。また専用の機構や部品を配置するための場所も不要なので、ハンドルカバーを薄くすることができるという効果もある。
【００１７】
請求項４の発明によれば、第１及び第２の点灯表示部からの投光方向であって第２及び第３の表示孔に対応する部位に光を拡散させる光拡散部材を設けており、第１及び第２の点灯表示部から照射された光は光拡散部材で拡散されて部材表面から均一に照射されるので、輝度にむらがなく見やすい光が得られるという効果がある。また従来では照射される光の輝度にむらがあるため、輝度が高い箇所の輝度を低くしようとすると輝度が低い箇所の輝度がさらに低くなってしまい、また輝度が低い箇所の輝度を高くしようとすると輝度が高い箇所の輝度がさらに高くなってしまうので明るさの適性化を図るのが難しかったが、光拡散部材を設けることで輝度にむらがなく部材表面から均一に照射されるので、明るさの適正化を容易に図ることができ、且つ電力の最適化を図ることができるという効果もある。さらに従来ではハンドルカバーを閉じた状態であっても輝度が高い箇所の光がハンドルカバーを透過して光漏れを起こす虞れがあったが、光拡散部材を設けることで輝度が高い箇所の光を拡散して輝度を低く平滑化することができるので、光漏れを抑えることができるという効果もある。
【発明を実施するための最良の形態】
【００１８】
以下に本発明の実施の形態を図１〜図８に基づいて説明する。本発明に係る操作スイッチ器具Ａは、例えば照明器具等の負荷の遠隔監視制御を行う遠隔監視制御システムに用いられる。尚、以下の説明では特に断りがない場合、図６に示す向きにおいて上下左右の方向を規定し、図６の正面を前面という。従って図１の下側が後側になる。
【００１９】
まず、遠隔監視制御システムについて図７及び図８に基づいて説明する。図７は遠隔監視制御システムの全体構成図を示しており、２線式の信号線Ｌｓを介してリレー付き親器（以下制御親器という）５２と、複数台のリレー付き子器（以下制御子器という）５３と、操作スイッチ器具Ａとが接続されている。尚、図８の例では操作スイッチ器具Ａが１台、制御子器５３が２台しか接続されていないが、制御対象の負荷の数に合わせて操作スイッチ器具Ａや制御子器５３の台数を増減することができる。
【００２０】
制御親器５２及び制御子器５３は、照明器具への電源供給をオン／オフするためのリレー（図示せず）をそれぞれ複数個備えており、各リレーにはそれぞれ個別のアドレスが設定されている。また操作スイッチ器具Ａは、図２に示すように照明器具を個別にオン／オフするための個別スイッチ２１（第２のスイッチ）と、複数の照明器具を１つのグループとして一括にオン／オフするためのグループスイッチ２２（第１のスイッチ）とを備えており、各スイッチにはそれぞれ個別のアドレスが設定されている。そして制御親器５２では、これらのアドレスを用いて操作スイッチ器具Ａの各スイッチ及び制御親器５２、制御子器５３のリレーを個別に認識する。
【００２１】
ここで、制御親器５２は伝送制御装置としての機能を有しており、図８（ａ）に示すような伝送信号Ｖｓを信号線Ｌｓに送出することにより、制御子器５３及び操作スイッチ器具Ａとの間でデータの授受を行っている。この伝送信号Ｖｓは信号の送出開始を示すスタートパルスＳＴと、信号のモードを示すモードデータＭＤと、制御子器５３及び操作スイッチ器具Ａを個別に識別するアドレスデータＡＤと、照明器具の制御内容を示す制御データＣＤと、伝送誤りを検出するチェックサムデータＣＳと、制御子器５３及び操作スイッチ器具Ａからの返送信号を受信するための返送待機期間ＷＴとで構成される複極性（±２４Ｖ）の時分割多重信号であり、パルス幅変調によってデータが伝送されるようになっている（図８（ｂ）参照）。
【００２２】
一方、制御子器５３及び操作スイッチ器具Ａでは、それぞれ信号線Ｌｓを介して受信した伝送信号ＶｓのアドレスデータＡＤが予め設定されているアドレスに一致すると、伝送信号Ｖｓから制御データＣＤを取り込むとともに、伝送信号Ｖｓの返送待機期間ＷＴに各スイッチ及びリレーの監視データを電流モード信号（信号線Ｌｓを適当な低インピーダンスを介して短絡することにより送出される信号）として返送する。そして制御親器５２では、送出した制御データＣＤと返送待機期間ＷＴに受信した監視データとの関係から制御データＣＤが所望の制御子器５３又は操作スイッチ器具Ａに伝送されたことを確認する。さらに制御子器５３では受け取った制御データＣＤに従い、アドレスデータＡＤに対応するリレーをオン／オフする。また操作スイッチ器具Ａでは受け取った制御データＣＤに従い、リレーの動作状態を表示するための信号を出力する。
【００２３】
また制御親器５２は、通常時にはモードデータＭＤをダミーモードとした伝送信号Ｖｓを一定時間間隔で送出しており（常時ポーリング）、操作スイッチ器具Ａが制御親器５２に対して何らかの情報を伝送しようとするときは、ダミーモードの伝送信号ＶｓのスタートパルスＳＴに同期させて図８（ｃ）に示す割込信号Ｖｉを発生させる。このとき割込信号Ｖｉを発生した操作スイッチ器具Ａは、割込フラグを設定して制御親器５２との以後の情報授受に備える。制御親器５２では割込信号Ｖｉを受信すると、モードデータＭＤを割込ポーリングモードとし且つアドレスデータＡＤの上位の半数のビットを順次増加させながら伝送信号Ｖｓを送出する。一方、割込信号Ｖｉを発生した操作スイッチ器具Ａでは、割込ポーリングモードのアドレスデータＡＤの上位の半数のビットが操作スイッチ器具Ａの備えるスイッチのアドレスの上位の半数のビットに一致するときは、返送待機期間ＷＴにアドレスの下位の半数のビットを制御親器５２に返送する。
【００２４】
制御親器５２が割込信号Ｖｉを発生した操作スイッチ器具Ａのアドレス（操作されたスイッチのアドレス）を獲得すると、モードデータＭＤを監視モードとし、獲得したアドレスデータＡＤを持つ伝送信号Ｖｓを信号線Ｌｓに送出する。一方、操作スイッチ器具Ａはこの伝送信号Ｖｓに対して伝送しようとする情報を返送待機期間ＷＴに返送する。その後、制御親器５２は割込信号Ｖｉを発生した操作スイッチ器具Ａに対して割込リセットを指示する信号を送出し、操作スイッチ器具Ａの割込フラグを解除する。以上のようにして、操作スイッチ器具Ａから制御親器５２への情報伝送は、制御親器５２から操作スイッチ器具Ａへの４回の信号伝送（ダミーモード、割込ポーリングモード、監視モード、割込リセット）によって完了する。また制御親器５２が所望の制御子器５３の動作状態を知ろうとするときは、モードデータＭＤを監視モードとした伝送信号Ｖｓを送出するだけでよい。
【００２５】
次に本発明に係る操作スイッチ器具Ａを図２に基づいて説明する。図２は操作スイッチ器具Ａの分解斜視図であり、操作スイッチ器具Ａの器具本体１は合成樹脂製のボディ２とカバー３とを結合して構成されている。そしてカバー３の前面にはハンドル本体４が回動自在に取着されており、さらにハンドル本体４の前面にはハンドルカバー５が回動自在に取着されている。この器具本体１はＪＩＳ等で規格化された埋込型配線器具用の一連の取付枠と略同じ寸法に形成されており、前面を露出させた状態で造営材に埋込配設される。
【００２６】
ボディ２は図２に示すように前面が開口した縦長の略箱状をしており、長手方向に沿った両側壁の前端縁には前方に向かってそれぞれ一対の係合突片１５が突設されている。一方カバー３は背面が開口した縦長の略箱状をしており、長手方向に沿った両側壁にはそれぞれ一対の係合突起１６が係合突片１５に対応する位置に突設されている。そしてこの係合突起１６を係合突片１５に設けた係止孔１４に係合させることでカバー３とボディ２とが結合されている。
【００２７】
またカバー３には上下両側壁の前端縁から取付片１７,１７が上下方向にそれぞれ延出しており、各取付片１７には埋込ボックスにねじ固定するためのねじを挿通させる長孔１８と、造営材に器具本体１を直付けするための取付ねじを挿通させる挿通孔１９と、ハンドルカバー５及びハンドル本体４を露出させるための開口部が設けられた化粧プレート（図示せず）を取付けるための取付ねじを螺合させるねじ孔２０とが設けられている。
【００２８】
さらに器具本体１の内部には、タクトスイッチからなる８個の個別スイッチ２１と、タクトスイッチからなるグループスイッチ２２と、個別スイッチ２１に対応する照明器具の動作状態を表示する発光ダイオード３１（図１参照）と、グループスイッチ２２に対応する照明器具の動作状態を表示する発光ダイオード（図示せず）と、ロータリースイッチからなるアドレス設定スイッチ２３と、スライドスイッチからなり各個別スイッチ２１をそれぞれグループに登録するか否かを切替えるための８個のグループ設定スイッチ２４と、上述のスイッチ及び発光ダイオードが少なくとも実装されたプリント基板２５とを備えたプリント基板ユニット７が収納されている。個別スイッチ２１はプリント基板２５の右側部に上下方向に並べて設けられており、各個別スイッチ２１に対応する発光ダイオード３１はプリント基板２５の左側部に対応する個別スイッチ２１と略同じ高さ位置に配置されている。またグループスイッチ２２はプリント基板２５の上下方向の略中央位置で個別スイッチ２１よりも左寄りの位置に設けられており、グループスイッチ２２に対応する発光ダイオードはプリント基板２５の左側部にグループスイッチ２２と略同じ高さ位置に配置されている。さらにアドレス設定スイッチ２３はグループスイッチ２２の下側に配置されており、グループ設定スイッチ２４はグループスイッチ２２よりも左寄りの位置で対応する個別スイッチ２１と略同じ高さ位置に上下方向に並べて設けられている。またボディ２の背面には信号線Ｌｓを接続するためのねじ端子（図示せず）が設けてあり、ねじ端子を介してプリント基板ユニット７と信号線Ｌｓとが電気的に接続される。
【００２９】
一方、カバー３の前面には、各個別スイッチ２１及びグループスイッチ２２に対応する部位に、各個別スイッチ２１に取付けられた押釦２１ａ（第２のスイッチの操作部）を前後方向に移動自在に挿通させる挿通孔２６と、グループスイッチ２２に取付けられた押釦２２ａを前後方向に移動自在に挿通させる挿通孔２７とが設けられている。また発光ダイオード３１に対向する部位に光を通すための表示孔３２（図１参照）が設けられており、グループスイッチ２２に対応する発光ダイオードに対向する部位に光を通すための表示孔（図示せず）が設けられている。さらにアドレス設定スイッチ２３に対応する部位に、アドレス設定スイッチ２３の操作子２３ａを挿通させる挿通孔２８が設けられており、各グループ設定スイッチ２４に対応する部位には、グループ設定スイッチ２４の摘み２４ａを左右方向に移動自在に挿通させる挿通孔２９が設けられている。尚、アドレス設定スイッチ２３の操作子２３ａには、ドライバ等の工具で回転させるための溝２３ｂが形成されている。
【００３０】
またカバー３の前面側には、図６に示すようにグループスイッチ２２を押操作するための合成樹脂製のハンドル本体４が回動自在に取着されている。このハンドル本体４は図２に示すように縦長の矩形板状に形成されており、ハンドル本体４の裏面の幅方向右側部にはばね体等を備えた一対の軸受部（図示せず）が設けられている。そしてカバー３の前面においてハンドル本体４の軸受部に対応する部位に一対の軸部（図示せず）が一体に形成されており、カバー３の軸部をハンドル本体４の軸受部に嵌めこむことで前面側から見て左側部でハンドル本体４がカバー３に回動自在に枢支される。またハンドル本体４の裏面の左側部には一対の抜止片４７（図４参照）が後方に向かって突設されており、各抜止片４７はカバー３に設けた係止孔３０に挿通され抜止片４７の先端部が係止孔３０の端縁に係止することによって、ハンドル本体４の回動範囲を制限している。
【００３１】
さらにハンドル本体４の裏面にはグループスイッチ２２の押釦２２ａに対応する部位に、突起４９（図４参照）が設けられており、ハンドル本体４の右側部を押操作すると裏面の突起４９でグループスイッチ２２の押釦２２ａが押動され、グループスイッチ２２がオンになる。一方、ハンドル本体４に加える力を無くすと、ハンドル本体４の軸受部のばね体等の反力によりハンドル本体４が元の位置に戻り、グループスイッチ２２がオフになる。
【００３２】
またハンドル本体４には、各個別スイッチ２１に対応する部位に個別スイッチ２１の押釦２１ａを露出させ前後方向に移動自在に挿通させる挿通孔３３が設けられており、グループ設定スイッチ２４に対応する部位にグループ設定スイッチ２４の摘み２４ａを左右方向に移動自在に挿通させる挿通孔３４が設けられている。さらに発光ダイオード３１に対応する部位に光を通すための表示孔３５が設けられており、グループスイッチ２２に対応する発光ダイオードに対向する部位に光を通すための表示孔３６が設けられている。またハンドル本体４の前面において表示孔３５，３６に対応する部位に縦長の矩形板状に形成された光を拡散させるための光拡散シート１３が取着されている。さらに光拡散シート１３の前面にはグループ設定スイッチ２４の設定方法等が表示された矩形板状の銘板１２が取着されている。この銘板１２には、グループ設定スイッチ２４及び表示孔３５，３６に対応する部位に切欠部３９，４０，４１が設けられている。また銘板１２には、ハンドル本体４の前面に形成された一対の位置決め用の突起３７に対応する部位に一対の弧状の切欠部３８が設けられており、この切欠部３８に突起３７を差し込んだ状態で銘板１２がハンドル本体４に取着されている。
【００３３】
さらにハンドル本体４の前面側には、個別スイッチ２１の押釦２１ａ及びグループ設定スイッチ２４の摘み２４ａを開閉自在に覆う合成樹脂製のハンドルカバー５が回動自在に枢着されている。このハンドルカバー５は、図２に示すように縦長の矩形板状に形成されており、左側部の上下両端部から側方に向かってアーム４３，４３が突設されている。この両アーム４３，４３は図４に示すように、前後方向の厚みをハンドルカバー５の他の箇所よりも厚くしてある。また各アーム４３には対向する他方のアーム４３に向かって軸４３ａが突設されている。一方、ハンドル本体４の左側部には前方に突出する突台部４２が設けられており、この突台部４２の上下両端部には軸孔４２ａが形成されている。そして各アーム４３の軸４３ａを突台部４２の軸孔４２ａに枢支させることによって、ハンドルカバー５が個別スイッチ２１の押釦２１ａ及びグループ設定スイッチ２４の摘み２４ａを露出させる開位置（図６参照）と、個別スイッチ２１の押釦２１ａ及びグループ設定スイッチ２４の摘み２４ａを覆う閉位置（図１参照）との間でハンドル本体４の前面側に回動自在に枢着される。
【００３４】
またハンドルカバー５の裏面には、図５に示すようにネームカード１０を収納するためのカード収納凹部５０が設けてあり、このカード収納凹部５０の底部は前面側からネームカード１０を視認可能とする透光性のネームカバー９（図２参照）で形成されている。さらにハンドルカバー５の裏面側には、略Ｌ字型の一対のシート保持片５１，５１が裏面と略平行に設けてあり、各シート保持片５１と裏面とでネームシート１１を挿通させる挿通溝５４（図１参照）が形成されている。また各シート保持片５１はカード収納凹部５０を間にしてハンドルカバー５の長手方向に沿って互いに対向して設けられている。さらにカード収納凹部５０に対して下側に設けたシート保持片５１は下端が閉止されており、上側に設けたシート保持片５１は上側からネームシート１１を挿通するために上端が開口している。ここでカード収納凹部５０にネームカード１０を収納した状態で図５（ａ）に示すようにネームシート１１を上側（Ｂの方向）から収納溝５４に挿通させると、ネームシート１１が両シート保持片５１，５１に保持されるとともに、ネームカバー９とネームシート１１との間でネームカード１０が挟持される。この時ネームシート１１は、カード収納凹部５０に対して下側に設けたシート保持片５１と下側及び右側で接しており、上側に設けたシート保持片５１と上側及び右側で接している。さらにこの時ネームカード１０の表示（グループスイッチ２２に対応する制御対象の表示）を前面側から視認できるとともに、ネームシート１１の表示（個別スイッチ２１に対応する制御対象の表示）を裏面側から視認することができる。
【００３５】
またハンドルカバー５の前面の左側部には、図３に示すようにハンドル本体４に設けた表示孔３６に対応する部位に光を通すための表示孔４８が設けられている。さらにハンドルカバー５の前面側には表示孔４８に対応する部位を通って上下方向に伸びる凹溝４４（取付溝）が形成されており、この凹溝４４には図１及び図２に示すように透光性を有する帯板状の表示窓８（表示部材）が取着されている。そしてグループスイッチ２２に対応する発光ダイオードから照射された光が表示孔４８及び表示窓８を通して外部から視認できるようになっている。さらに図１、図３及び図４に示すように、凹溝４４に対応するハンドルカバー５の裏面側をハンドル本体４側に突出させて突出部４５が設けてある。尚、ハンドル本体４の左側部の上下両端には、図４（ａ）に示すようにハンドルカバー５を閉じた状態でハンドルカバー５に設けた突出部４５を収納するための収納凹部５５が設けられている。
【００３６】
次にこの操作スイッチ器具Ａを組み立てる手順について説明する。まずプリント基板ユニット７をボディ２の内部に収納した後、カバー３をボディ２の前面に被せ、係合突片１５の係止孔１４に係合突起１６を係合させることでボディ２とカバー３とが結合し、器具本体１が組み立てられる。この時プリント基板２５に実装された個別スイッチ２１、グループスイッチ２２及びグループ設定スイッチ２４には、それぞれ押釦２１ａ、押釦２２ａ及び摘み２４ａが取付けられており、押釦２１ａ、押釦２２ａ及び摘み２４ａはカバー３に設けた挿通孔２６，２７，２９を通して前方に露出している。またアドレス設定スイッチ２３の操作子２３ａもカバー３に設けた挿通孔２８を通して前方に露出している。
【００３７】
続いてハンドルユニット６の組立について説明する。まずハンドルカバー５の裏面のカード収納凹部５０にネームカード１０を収納した状態で収納溝５４にネームシート１１を挿通し、ネームシート１１を両シート保持片５１で保持するとともに、ネームカバー９とネームシート１１との間でネームカード１０を挟持する。さらにハンドルカバー５の前面側の凹溝４４に表示窓８を取付ける。またハンドル本体４の前面側において表示孔３５，３６に対応する部位に光拡散シート１３を取付ける。さらにその前面から銘板１２に設けた切欠部３８にハンドル本体４の前面に設けた位置決め用の突起３７を差し込んだ状態でハンドル本体４に銘板１２を取付ける。そしてハンドルカバー５のアーム４３，４３に設けた軸４３ａをハンドル本体４の突台部４２に設けた軸孔４２ａに枢支させることによって、ハンドルカバー５がハンドル本体４の前面側に回動自在に取着され、ハンドルユニット６の組立てが完了する。
【００３８】
そしてハンドルユニット６を器具本体１の前面側に被せて、器具本体１の前面に設けた軸部をハンドル本体４の裏面に設けた軸受部に嵌めこむことで、ハンドルユニット６が器具本体１に回動自在に取着され、図６に示すように操作スイッチ器具Ａの組立てが完了する。
【００３９】
ここで操作スイッチ器具Ａのアドレス設定方法について説明する。まず、器具本体１のカバー３からハンドルユニット６を取り外す。そしてカバー３に設けた挿通孔２８から露出したアドレス設定スイッチ２３の操作子２３ａを回転させると各個別スイッチ２１のアドレスが所望のアドレスに設定される。
【００４０】
続いて操作スイッチ器具Ａのグループ設定方法について説明する。まず図６に示すように、ハンドル本体４の前面が露出する位置までハンドルカバー５を開く。そしてハンドル本体４に設けた挿通孔３４から露出したグループ設定スイッチ２４の各摘み２４ａを右又は左の何れか一方にスライドさせることによって、グループとして一括にオン／オフされる照明器具が設定される。
【００４１】
次に操作スイッチ器具Ａの操作方法について説明する。まずグループ設定された照明器具をオン／オフさせる方法について説明する。図１に示すようにハンドルカバー５が閉位置にある状態からハンドルカバー５の前面右側部を押操作すると、ハンドルカバー５とともにハンドル本体４が回動し、ハンドル本体４の裏面に設けた突起４９でグループスイッチ２２の押釦２２ａが押動されてグループスイッチ２２がオンになる。グループスイッチ２２がオンになると、上述の伝送方法によって伝送信号の授受が行われ、対応する照明器具がオン又はオフされるとともに、グループスイッチ２２に対応する発光ダイオードがオン又はオフされる。この時、発光ダイオードからの光は光拡散シート１３で拡散された後表示窓８を透過して外部に出射するので、発光ダイオードの発光により照明器具の動作状態を確認することができる。またハンドルカバー５を押操作する力を無くすと、ハンドル本体４の裏面に設けた軸受部のばね体等の反力によりハンドルカバー５及びハンドル本体４が元の位置に戻り、グループスイッチ２２がオフになる。
【００４２】
続いて個別スイッチ２１に対応する照明器具をオン／オフさせる方法について説明する。まず図６に示すようにハンドル本体４の前面を露出させる位置までハンドルカバー５を開く。この状態からオン／オフさせたい照明器具に対応する個別スイッチ２１の押釦２１ａを押すと個別スイッチ２１がオンになる。個別スイッチ２１がオンになると、上述の伝送方法によって伝送信号の授受が行われ、対応する照明器具がオン又はオフされるとともに、押された個別スイッチ２１に対応する発光ダイオード３１がオン又はオフされる。この時、発光ダイオード３１からの光はハンドル本体４に設けた表示孔３５を通り、光拡散シート１３で拡散されて外部に出射するので、発光ダイオード３１の発光により照明器具の動作状態を確認することができる。またこの場合にはハンドル本体４の前面右側部を押操作することによってグループスイッチ２２を押動することもできるので、グループスイッチ２２に設定された照明器具をオン／オフさせることもできる。
【００４３】
上述の操作スイッチ器具Ａでは、ハンドルカバー５の前面の左側部に表示窓８を取着するための凹溝４４を設けるとともに、ハンドルカバー５の裏面において凹溝４４に対応する部位をハンドル本体４側に突出させて突出部４５を設けており、突出部４５により厚みを厚くすることでハンドルカバー５を補強することができる。従ってハンドルカバー５を開閉角度以上に開こうとする場合でも凹溝４４を設けた部位の強度を保つことができ、ハンドルカバー５の破損を防ぐことができる。またハンドルカバー５に設けた両アーム４３，４３の前後方向の厚みをハンドルカバー５の他の部位よりも厚くすることによって各アーム４３を補強することができるので、ハンドルカバー５自体も破損しにくくなり、且つハンドルカバー５をハンドル本体４にがたつきなく強固に取付けることができる。さらに乱暴に操作された場合にはハンドルカバー５がハンドル本体４との枢支部分で外れるので、ハンドルカバー５の破損を防ぐこともできる。
【００４４】
またネームシート１１をハンドルカバー５の裏面に設けた収納溝５４に挿通し両シート保持片５１，５１で保持するとともにネームカード１０をネームシート１１とネームカバー９とで挟持しており、ネームカード１０を保持するための専用の機構や部品が不要なので、ハンドルカバー５の構造を簡素化することができ、且つ部品点数を減らすことができる。さらに専用の機構や部品を配置するための場所も不要なので、ハンドルカバー５を薄くすることができる。
【００４５】
またハンドル本体４の前面において表示孔３５及び３６に対応する部位に光を拡散させるための光拡散シート１３を設けており、発光ダイオード３１及びグループスイッチ２２に対応する発光ダイオードから照射された光は光拡散シート１３で拡散されてシート表面から均一に照射されるので、輝度にむらがなく見やすい光が得られる。従来は発光ダイオードから照射される光の輝度にむらがあるため、輝度が高い箇所の輝度を低くしようとすると輝度が低い箇所の輝度がさらに低くなってしまい、また輝度が低い箇所の輝度を高くしようとすると輝度が高い箇所の輝度がさらに高くなってしまうので明るさの適性化を図るのが難しかったが、光拡散シート１３を設けることによって発光ダイオードから照射された光は、輝度にむらがなくシート表面から均一に照射されるので、明るさの適正化を容易に図ることができ、且つ電力の最適化を図ることができる。また従来ではハンドルカバー５を閉じた状態（図１参照）であっても輝度が高い箇所の光がハンドルカバー５を透過して光漏れを起こす虞れがあったが、光拡散シート１３を設けることで輝度が高い箇所の光を拡散して輝度を低く平滑化することができるので、光漏れを抑えることができる。
【００４６】
尚、本実施形態では、個別スイッチ２１及びグループスイッチ２２を例に説明したが、使用するスイッチは本実施形態に限定されるものではなく、ハンドル本体４の裏面で押操作できるスイッチ及びハンドル本体４の前面側に露出し直接押操作できるスイッチであればよい。また本実施形態では、個別スイッチ２１及びグループスイッチ２２に対応する負荷の動作状態を表示するための光源として発光ダイオードを例に説明したが、用いる光源は本実施形態に限定されるものではなく、視認可能なものであればよい。
【００４７】
さらに本実施形態では、光拡散部材として光拡散シート１３をハンドル本体４の前面において表示孔３５及び３６に対応する部位に設けているが、光拡散部材は光拡散シート１３に限定されるものではなく、光拡散性を有する樹脂等を表示孔３５及び３６の内部に注入して光拡散部を設けてもよい。また光拡散シート１３を設ける箇所についても本実施形態に限定されるものではなく、発光ダイオードからの投光方向であって表示孔３５及び３６に対応する部位に設けてあればよい。さらに本実施形態では、操作スイッチ器具Ａの用途を照明器具の遠隔監視制御を行う遠隔監視制御システムを例に説明したが、操作スイッチ器具Ａの用途は本実施形態に限定されるものではなく、負荷への給電を直接オン／オフするもの等、負荷制御に用いられるものであればよい。
【図面の簡単な説明】
【００４８】
【図１】本実施形態の操作スイッチ器具の断面図である。
【図２】同上の分解斜視図である。
【図３】同上のハンドルカバーの斜視図である。
【図４】（ａ）は同上のハンドルユニットのハンドルカバーを閉じた状態の平面図である。（ｂ）は同上のハンドルユニットのハンドルカバーを開いた状態の平面図である。
【図５】（ａ）、（ｂ）は同上のハンドルカバーにネームシート及びネームカードを取付ける説明図である。
【図６】同上のハンドルカバーを開いた状態の斜視図である。
【図７】同上を用いる遠隔監視制御システムの概略構成図である。
【図８】（ａ）〜（ｃ）は遠隔監視制御システムに用いる伝送信号の説明図である。
【符号の説明】
【００４９】
１          器具本体
４          ハンドル本体
５          ハンドルカバー
８          表示窓（表示部材）
２１        個別スイッチ（第２のスイッチ）
２１ａ      押釦（第２のスイッチの操作部）
２２        グループスイッチ（第１のスイッチ）
３３        挿通孔
３６，４８  表示孔
４４        凹溝（取付溝）
４５        突出部
【図１】
0004626567.tif 000002
【図２】
0004626567.tif 000003
【図３】
0004626567.tif 000004
【図４】
0004626567.tif 000005
【図５】
0004626567.tif 000006
【図６】
0004626567.tif 000007
【図７】
0004626567.tif 000008
【図８】
0004626567.tif 000009